(57)【要約】  エンジンサイクルカウントを実装するためのシステムおよび方法が開示されている。１つの方法は、少なくとも１つのプロセッサーによって、エンジンに関連付けされる複数のサイクルおよび部分サイクルを決定するステップと、少なくとも１つのプロセッサーによって、複数のサイクルおよび部分サイクルに少なくとも部分的に基づいて、エンジンに関連付けされるライフサイクルを予想するステップとを含むことが可能である。【選択図】図５
2016505767.tif 000002
【特許請求の範囲】
【請求項１】
少なくとも１つのプロセッサー（１３２）によって、エンジン（１０２）に関連付けされる複数のサイクルおよび部分サイクルを決定するステップと、
少なくとも１つのプロセッサー（１３２）によって、前記複数のサイクルおよび部分サイクルに少なくとも部分的に基づいて、前記エンジン（１０２）に関連付けされるライフサイクルを予想するステップと
を含む方法。
【請求項２】
ライフサイクルを予想するステップが、
前記エンジン（１０２）に関連付けされる前記複数のサイクルの中のトリップサイクルを識別するステップと、
前記複数のサイクルに関連付けされる前記トリップサイクルのそれぞれに関して、対応する値を関連付けするステップと、
前記対応する値に少なくとも部分的に基づいて、前記ライフサイクルを決定するステップと
をさらに含む、請求項１記載の方法。
【請求項３】
前記トリップサイクルに関連付けされる少なくとも１つのエンジンパーツを識別するステップ
をさらに含む、請求項２記載の方法。
【請求項４】
前記トリップサイクルに少なくとも部分的に基づいて、前記少なくとも１つのエンジンパーツに関する交換サイクルを決定するステップと、
前記交換サイクルが発生すると、指示をコンピューティングデバイス（１３０）へ送信するステップと
をさらに含む、請求項３記載の方法。
【請求項５】
前記予想されたライフサイクルに少なくとも部分的に基づいて、前記エンジン（１０２）に関する交換サイクルを決定するステップと、
前記交換サイクルが発生すると、指示をコンピューティングデバイス（１３０）へ送信するステップと
をさらに含む、請求項１記載の方法。
【請求項６】
前記決定されるカテゴリーは、完全サイクル、部分サイクル、またはトリップサイクルのうちの１つを含む、請求項１記載の方法。
【請求項７】
前記ライフサイクルを予想するステップが、
前記エンジン（１０２）に関する動作の合計時間数に関連付けされる値を決定するステップと、
前記エンジン（１０２）に関する動作の前記合計時間数に関連付けされる前記決定された値に少なくとも部分的に基づいて、前記ライフサイクルを予想するステップと
をさらに含む、請求項１記載の方法。
【請求項８】
前記予想されたライフサイクルをディスプレイに出力するステップ
をさらに含む、請求項１記載の方法。
【請求項９】
前記複数のサイクルのそれぞれに関して前記決定されたカテゴリーを示すヒューマンマシンインターフェース（ＨＭＩ）をディスプレイに出力するステップ
をさらに含む、請求項８記載の方法。
【請求項１０】
エンジン（１０２）と、
前記エンジン（１０２）に関連付けされる複数のサイクルカウントおよび複数の部分サイクルカウントを識別するように構成されているカウンターと、
少なくとも１つのプロセッサー（１３２）を有する制御ロジックであって、前記制御ロジックは、
前記複数のサイクルカウントのそれぞれに関するカテゴリーを識別するように、および、
前記識別されたカテゴリー、前記複数のサイクルカウント、および前記複数の部分サイクルカウントに少なくとも部分的に基づいて、ライフサイクルを予想するように
構成されている、制御ロジックと
を含む、装置。
【請求項１１】
前記複数のサイクルカウントのそれぞれに関するカテゴリーを識別するように構成されている前記制御ロジックが、
前記エンジン（１０２）に関連付けされる前記複数のサイクルの中のトリップサイクルを識別するように、および、
前記複数のサイクルに関連付けされる前記トリップサイクルのそれぞれに関して、対応する値を関連付けするように
構成されている制御ロジックをさらに含む、請求項１０記載の装置。
【請求項１２】
前記制御ロジックが、さらに、前記トリップサイクルに関連付けされる前記エンジンパーツの少なくとも一部分を識別するように構成されている、請求項１０記載の装置。
【請求項１３】
前記制御ロジックが、さらに、前記識別された少なくとも１つのエンジンパーツに少なくとも部分的に基づいて、前記エンジン（１０２）を交換するように指示を送信するように構成されている、請求項１２記載の装置。
【請求項１４】
前記制御ロジックが、さらに、前記予想されたライフサイクルに少なくとも部分的に基づいて、前記エンジン（１０２）を交換するように指示を送信するように構成されている、請求項１０記載の装置。
【請求項１５】
前記決定されたカテゴリーが、完全サイクル、部分サイクル、またはトリップサイクルのうちの１つを含む、請求項１０記載の装置。
【請求項１６】
前記ライフサイクルを予想するように構成されている前記制御ロジックが、動作の合計時間数に関連付けされる値を決定するように構成されている制御ロジックをさらに含む、請求項１０記載の装置。
【請求項１７】
前記制御ロジックが、さらに、前記予想寿命時間をディスプレイに出力するように構成されている、請求項１０記載の装置。
【請求項１８】
前記制御ロジックが、さらに、前記複数のサイクルのそれぞれに関して決定されたカテゴリーを示すＨＭＩをディスプレイに出力するように構成されている、請求項１０記載の装置。
【請求項１９】
コンピューター実行可能な命令を記憶する１つまたは複数のコンピューター可読媒体であって、前記コンピューター実行可能な命令は、少なくとも１つのプロセッサー（１３２）によって実行されると、
少なくとも１つのプロセッサー（１３２）によって、エンジン（１０２）に関連付けされる複数のサイクル、および、前記エンジン（１０２）に関連付けされる複数の部分サイクルを決定するステップと、
少なくとも１つのプロセッサー（１３２）によって、前記複数のサイクルのそれぞれに関連付けされる加速度値に基づいて、前記複数のサイクルのそれぞれに関するカテゴリーを決定するステップと、
少なくとも１つのプロセッサー（１３２）によって、前記決定されたカテゴリー、前記複数のサイクル、および前記複数の部分サイクルに少なくとも部分的に基づいて、前記エンジン（１０２）に関連付けされるライフサイクルを予想するステップと
を含む動作を行うように、前記少なくとも１つのプロセッサー（１３２）を構成させている、１つまたは複数のコンピューター可読媒体。
【発明の詳細な説明】
【技術分野】
【０００１】
本開示は、概して、ガスタービンエンジンに関し、より具体的には、ガスタービンエンジンサイクルカウントを含む、タービンエンジンのためのエンジンサイクルカウントを実装するためのシステムおよび方法に関する。
【背景技術】
【０００２】
ガスタービンエンジンは、圧縮機および入口部などのような、いくつかの機能的なセクションを含み得る。他のセクションは、ファンセクション、燃焼セクション、およびタービンセクションを含み得る。空気および燃料が、燃焼セクションの中で燃焼させられ、タービンローターへ移動させられる。これらの様々なパーツは、様々なレベルの応力および劣化を受ける。したがって、エンジンパーツの交換のために劣化レベルを識別することは、複雑な分析を含む可能性がある。
【先行技術文献】
【特許文献】
【０００３】
【特許文献１】国際公開第９５／１８３６４号
【発明の概要】
【０００４】
上記の必要性および／または問題のうちのいくつかまたはすべては、本開示の特定の実施形態によって対処することが可能である。開示されている実施形態は、エンジンパーツサイクルカウントの実装形態を含むことが可能である。特定の実施形態によれば、エンジンに関連付けされる第１の複数のサイクルおよび部分サイクルを決定するための、および、複数のサイクルおよび部分サイクルに少なくとも部分的に基づいて、エンジンに関連付けされるライフサイクルを予想するための、方法が開示されている。
【０００５】
他の実施形態によれば、エンジンと、エンジンに関連付けされる複数のサイクルカウントおよび複数の部分サイクルカウントを識別するように構成されているカウンターと、少なくとも１つのプロセッサーを有する制御ロジックであって、制御ロジックは、複数のサイクルカウントのそれぞれに関するカテゴリーを識別し、識別されたカテゴリーに少なくとも部分的に基づいて、ライフサイクルを予想するように構成されている、制御ロジックとを含む装置が開示されている。
【０００６】
さらなる実施形態は、コンピューター実行可能な命令を記憶する１つまたは複数のコンピューター可読媒体であって、コンピューター実行可能な命令は、少なくとも１つのプロセッサーによって実行されると、少なくとも１つのプロセッサーによって、エンジンに関連付けされる複数のサイクルおよび複数の部分サイクルを決定するステップと、少なくとも１つのプロセッサーによって、複数のサイクルのそれぞれに関連付けされる加速度値に基づいて、複数のサイクルのそれぞれに関するカテゴリーを決定するステップと、少なくとも１つのプロセッサーによって、決定されたカテゴリーに少なくとも部分的に基づいて、エンジンに関連付けされるライフサイクルを予想するステップとを含む動作を行うように、少なくとも１つのプロセッサーを構成させている、１つまたは複数のコンピューター可読媒体を開示することが可能である。
【０００７】
本開示の他の実施形態、態様、および特徴は、当業者に明らかになることとなる。
【０００８】
ここで、添付の図面を参照することとし、添付の図面は、必ずしも、実寸で描かれているとは限らない。
【図面の簡単な説明】
【０００９】
【図１】本開示の少なくとも一実施形態による、ガスタービンエンジンの様々なパーツの予想寿命時間を決定するための例示的なシステムを示す概略ブロック図である。
【図２】本開示の少なくとも一実施形態による、ガスタービンエンジンの様々なパーツの予想寿命時間を決定するための例示的な方法を示すフローダイアグラムである。
【図３】本開示の少なくとも一実施形態による、ガスタービンエンジンの様々なパーツの予想寿命時間を決定するための別の例示的な方法を示すフローダイアグラムである。
【図４】本開示の少なくとも一実施形態による、完全サイクルカウントおよび部分サイクルカウントのために監視されているガスタービンエンジンに関する動作データの図式的なダイアグラムである。
【図５】本開示の少なくとも一実施形態による、ガスタービンエンジンの様々なパーツの予想寿命時間を決定するための別の例示的な方法を示すフローダイアグラムである。
【発明を実施するための形態】
【００１０】
ここで、本開示の例示目的の実施形態が、添付の図面を参照して、より完全に以下に説明されることとなり、添付の図面には、本開示のすべての実施形態ではないが、いくつかの実施形態が示されている。本開示は、多くの異なる形態で具現化させることが可能であり、本明細書で記載されている実施形態に限定されるものとして解釈されるべきではない。むしろ、これらの実施形態は、本開示が適用可能な法的要件を満たすこととなるように、提供されている。同様の数字は、全体を通して、同様のエレメントを参照している。
【００１１】
タービンエンジンは、多くのパーツおよびコンポーネントを含むことが可能であり、それらは、異なる動作条件を有し、動作の間に異なるレベルの使用に曝される。ルーチン動作は、時間とともに、タービンエンジンの様々なパーツの劣化を引き起こす可能性がある。パーツの劣化は、動作時間の観点から定量化することが可能である。タービンエンジンのそれぞれのパーツは、その使用における寿命時間限界として、所定の合計動作時間を与えられ得る。しかし、特定のイベントまたは動作使用は、これらのエンジンパーツおよびコンポーネントのより早い劣化に寄与する可能性がある。したがって、動作時間に基づいて劣化を純粋に定量化することは、エンジンパーツの劣化の現在の状態の正確な評価を提供することができない。
【００１２】
これらの状況下において、エンジンの動作使用は、エンジンコンポーネントのより高いレベルの劣化を生み出す可能性がある。１つの例では、使用時間メトリック（ｍｅｔｒｉｃ）を有する２つのタービンエンジンは、特定の動作使用に基づいて、異なるレベルの劣化を依然として有する可能性がある。たとえば、第１のタービンは、頻繁な離陸および着陸を伴う、短いルートを日常的に運行する航空機によって使用される可能性がある。したがって、タービンエンジンは、より高い量のスロットリングに曝される可能性がある。第２のタービンエンジンは、より少ない着陸および離陸を伴う、より長いルートで使用される航空機において使用される可能性がある。したがって、コンポーネントに対して、より多い定常状態の回転、および、より少ないスロットリングが、存在する可能性がある。この例では、タービンエンジンの両方が、１００時間にわたり使用された場合であっても、第１のタービンエンジンの特定のパーツは、約１，０００時間の使用と同等の劣化の兆候を示す可能性がある。さらなる別の例では、船などのような船舶に載っているガスタービンエンジンまたはエンジンは、使用および他の要因に応じて、様々なレベルの劣化に曝される可能性がある。したがって、あらゆる場合において、使用時間だけに基づく、比較的に簡単な寿命時間限界の計算を使用することは、現在の劣化の状態の正確な評価を提供しない可能性がある。
【００１３】
動作使用に基づいて個々の特徴的な劣化を説明するために、タービンエンジンは、定期的に、修理クルーによって手動で検査され、様々なパーツの状態を識別することが可能である。伝統的に、特定の検査手順が、これらの可能性のある問題および故障を識別するために使用される。１つの例では、手動検査は、典型的に、特定のエンジンコンポーネントの劣化を評価するための所定の期間の後に、タービンエンジンに対して行うことが可能である。これらの手動検査は、ある程度の劣化を識別するが、検査は、法外なコストがかかる可能性がある。さらに、手動検査は、エンジンコンポーネントに対して、すべての可能性のある損傷または障害を検出しない可能性がある。たとえば、燃焼器の中の少量のリークが、不適正な燃料の燃焼を引き起こす場合があるが、これらのリークは、手動検査だけでは、検出できない可能性がある。
【００１４】
本開示の実施形態は、エンジンに関連付けされる寿命時間を決定することを含むことが可能な方法を提供することが可能である。また、いくつかの実施形態は、ガスタービンエンジンの様々なパーツに関連付けされる寿命時間を決定することが可能である。本開示の実施形態は、合計動作時間の観点から、エンジン、または、エンジンのパーツの寿命時間を規定することが可能である。動作時間のそれぞれのインクリメントは、サイクルとして識別することが可能である。また、この方法は、エンジン、または、ガスタービンエンジンのパーツに関連付けされる複数のサイクルを決定することを含むことが可能である。本開示の少なくとも一実施形態によれば、これらのサイクルの例としては、完全サイクル、部分サイクル、およびトリップサイクルを含むことが可能である。完全サイクル、部分サイクル、またはトリップサイクルは、サイクルカウントの中の異なるインクリメントをトリガーすることが可能である。これは、様々なパラメーターの中の対応する値に基づくことが可能である。また、この方法は、カテゴリーまたはパラメーターに基づいて、これらの複数のサイクルを識別することを提供することが可能である。一実施形態では、カテゴリーを決定するための方法は、エンジンの様々なパーツに関連付けされる加速度値に基づいて、複数のサイクルのそれぞれを識別することをさらに開示することが可能である。加速度値は、プラスまたはマイナスであることが可能である。この方法は、予想寿命時間をコンピューティングデバイスへ送信することをさらに含むことが可能である。他の実施形態では、この方法は、カテゴリー、パラメーター、および予想寿命時間のそれぞれに関して、ヒューマンマシンインターフェース（ＨＭＩ）を出力することが可能である。
【００１５】
本開示の実施形態は、エンジンの寿命時間を計算するための制御ロジックを備えるガスタービンエンジンを含む装置を提供することが可能である。また、制御ロジックは、ガスタービンエンジンの様々なパーツに関連付けされる寿命時間を決定する論理回路とともに構成させることが可能である。本開示の実施形態は、合計動作時間の観点から、エンジン、または、エンジンのパーツの寿命時間を規定することが可能である。動作時間のそれぞれのインクリメントは、サイクルとして識別することが可能である。また、制御ロジックは、カウンターを利用することが可能である。また、カウンターは、エンジン、または、ガスタービンエンジンのパーツに関連付けされる複数のサイクルを決定することが可能である。本開示の少なくとも一実施形態によれば、これらのサイクルの例としては、完全サイクル、部分サイクル、およびトリップサイクルを含むことが可能である。完全サイクル、部分サイクル、またはトリップサイクルは、サイクルカウントの中の異なるインクリメントをトリガーすることが可能である。これは、様々なパラメーターの中の対応する値に基づくことが可能である。カウンターは、様々なパラメーターに関する様々な値を示す信号を受信することが可能である。また、制御ロジックは、カテゴリーまたはパラメーターに基づいて、これらの複数のサイクルを識別するように構成させることが可能である。一実施形態では、カウンターは、エンジンの様々なパーツに関連付けされる加速度値を受信することが可能である。加速度値は、プラスまたはマイナスであることが可能である。この方法は、予想寿命時間をコンピューティングデバイスへ送信することをさらに含むことが可能である。他の実施形態では、この方法は、カテゴリー、パラメーター、および予想寿命時間のそれぞれに関して、ヒューマンマシンインターフェース（ＨＭＩ）を出力することが可能である。
【００１６】
本開示の特定の実施形態は、特定のタービンコンポーネントに関する寿命時間を予想する技術的解決策を提供することが可能である。さらに、本開示の特定の実施形態は、早期の交換および／または修理を必要とし得る特定のタービンコンポーネントを識別する技術的解決策を提供することが可能である。
【００１７】
本開示の目的のために、「ガスタービンエンジン」、「ガスタービン」、「エンジン」、および「タービン」の用語は、車両、船舶、船、発電プラント、産業用設備、または、任意の他の定置式もしくは非定置式の物体に動力を提供し得る、任意のマシンまたはデバイスを指すことが可能である。本開示の特定の実施形態は、発電プラントもしくは産業用設備に関して示され、および／または、説明されている可能性があるが、当業者は、車両、船舶、船、または、任意の他の定置式もしくは非定置式の物体への本開示の実施形態の適用可能性を認識することとなる。
【００１８】
図１は、ガスタービンエンジンの運転条件を検出するためのシステムの概略ブロック図である。このシステム１００は、ガスタービンエンジンおよび関連の制御装置を含むことが可能である。いくつかの実施形態では、ガスタービンエンジンおよび関連の制御装置は、診断デバイス１０４と通信することが可能である。さらに、制御装置は、ネットワーク１０６を通して、診断デバイス１０４と通信することが可能である。ネットワーク１０６は、有線ネットワークもしくは無線ネットワーク、ローカルエリアネットワークもしくはワイドエリアネットワーク、および／または、インターネットのいずれかのタイプまたは組み合わせとすることが可能である。
【００１９】
通常条件下において、大気は、入口部１０８を通って、ガスタービンエンジン１０２に進入することが可能である。空気は、圧縮機１１０によって圧縮され得る。図１では、単一の圧縮機１１０だけが示されているが、ガスタービンエンジン１０２は、任意の数の圧縮機１１０を含むことが可能である。１つの例では、圧縮機１１０は、低速ローターシャフトを備える低速圧縮機とすることが可能である。他の例では、圧縮機１１０は、高速ローターシャフトを備える高速圧縮機を含むことが可能である。いくつかの実施形態では、低速圧縮機からの圧縮空気は、さらなる圧縮のために、高速圧縮機へ通すことが可能である。圧縮機１１０からの圧縮空気は、燃焼器１１４へ出力することが可能であり、燃焼器１１４において、圧縮空気は、燃料混合物１１２と混合されて点火される。
【００２０】
圧縮されたガス燃料混合物１１２は、タービン１１８へ通すことが可能である。タービン１１８は、任意の数のローターブレード（図示せず）を伴って構成させることが可能である。組み合わせられた空気燃料混合物１１２は、ローターブレードを通過させられるときに、差圧を引き起こすことが可能である。これは、タービン１１８がトルクを作り出すことを引き起こすことが可能である。図１では、単一のタービン１１８だけが示されているが、ガスタービンエンジン１０２は、連続してまたは並列でのいずれかで使用される任意の数のタービンを含むことが可能である。１つの例では、燃焼ガス生成物は、高速ローターシャフトを備える高速タービンを通過し、高速タービンの回転を引き起こすことが可能である。また、別の例では、これらのガスは、低速タービンを通過することも可能である。これらのガスは、排気ノズル１２０を通って、ガスタービンエンジン１０２をさらに出ていくことが可能である。一実施形態では、タービンが、航空機を動作させるために使用される場合には、排気ノズル１２０を通って出ていく空気は、航空機を前方に推進させるエンジンスラストを生み出すことが可能である。タービンが、発電するために使用される場合には、タービンは、クランクシャフトまたは他の回転体に接続され、発電するために機械的仕事を生み出すことが可能である。
【００２１】
図１をさらに参照すると、ガスタービンエンジン１０２は、制御装置１２４に接続することが可能である。制御装置１２４は、必要に応じて、ハードウェア、ソフトウェア、ファームウェア、または、それらの組み合わせで実装され得る。制御装置１２４のソフトウェアまたはファームウェアの実装形態は、プログラミング言語で書かれた任意の適切なコンピューター実行可能な命令またはマシン実行可能な命令を含み、説明される様々な機能を実施することが可能である。制御装置１２４のハードウェアの実装形態は、ガスタービンエンジン１０２を制御し動作させるために、論理ゲート、論理ブロック、または、他の論理回路を含むことが可能である。これらの実施形態によれば、直接的な通信接続が、ガスタービンエンジン１０２の上述のパーツのいずれかと制御装置１２４との間に存在することが可能である。
【００２２】
図１をさらに参照すると、制御装置１２４は、１つまたは複数のセンサー１２６と通信することが可能である。ガスタービンエンジン１０２の動作は、１つまたは複数のセンサー１２６によって監視することが可能である。これらのセンサー１２６は、ガスタービンエンジン１０２の様々な状態を検出するように構成させることが可能であり、環境の様々なパラメーターを感知することが可能である。たとえば、温度センサーは、ガスタービンエンジン１０２を取り囲む大気温度、圧縮機吐出温度、タービン排気ガス温度、および、ガスタービンエンジン１０２を通るガスストリームの他の温度測定を監視することが可能である。圧力センサーは、大気圧力、ならびに、圧縮機入口部および出口部、およびタービン排気における静圧レベルおよび動圧レベル、ならびに、ガスストリームの中の他の場所における静圧レベルおよび動圧レベルを監視することが可能である。さらに、湿度センサー（たとえば、湿球温度計および乾球温度計）は、圧縮機の入口ダクトの中の大気湿度を測定することが可能である。また、センサー１２６は、ガスタービンエンジン１０２の動作に関する様々なパラメーターを感知する、流量センサー、速度センサー、火炎検出器センサー、弁位置センサー、案内静翼角度センサーなどを含むことが可能である。本明細書で使用される場合、「パラメーター」および同様の用語は、所与のタービン動作条件を表すために使用され得る、ガスタービンエンジン１０２の中の所定の場所における温度、圧力、および流量などのような、ガスタービンエンジン１０２の動作条件を規定するために使用され得る項目を指すことが可能である。
【００２３】
制御装置１２４は、センサー１２６からの出力信号を受信するように構成させることが可能である。いくつかの実施形態では、制御装置１２４は、これらのセンサー信号をサイクル計数オドメーター１２８に送信することが可能である。他の実施形態では、サイクル計数オドメーター１２８は、ガスタービンエンジン１０２の動作パラメーターを示す様々な信号を直接的に受信するように構成させることが可能である。
【００２４】
制御装置１２４は、サイクル計数オドメーター１２８に接続することが可能である。サイクル計数オドメーター１２８は、必要に応じて、ハードウェア、ソフトウェア、ファームウェア、または、それらの組み合わせで実装することが可能である。サイクル計数オドメーター１２８のソフトウェアまたはファームウェアの実装形態は、任意の適切なプログラミング言語で書かれたコンピューター実行可能な命令またはマシン実行可能な命令を含み、説明されている様々な機能を行うことが可能である。サイクル計数オドメーター１２８のハードウェアの実装形態は、論理ゲート、論理ブロック、または、他の論理回路を含み、信号を受信し、エンジンサイクル検出に関係付けされる様々なパラメーターをカウントすることが可能である。これらの実施形態によれば、直接的な通信接続が、ガスタービンエンジン１０２の上述のパーツのいずれかとサイクル計数オドメーター１２８との間に存在することが可能である。サイクル計数オドメーター１２８は、論理回路を用いて、異なるレベルの劣化を提供し得る様々な動作使用モードを識別するように構成させることが可能である。
【００２５】
さらに、サイクル計数オドメーター１２８は、ライフサイクルインクリメント値などのような量化子（ｑｕａｎｔｉｆｉｅｒ）を識別し、動作使用モードに基づいて劣化を説明することが可能である。１つの例では、完全サイクルのライフサイクルインクリメントは、様々な動作モードで識別され得る。そのような動作モードの１つの例としては、約４，０００ＲＰＭを超える回転速度を有するタービン１１８を含むことが可能である。回転速度が約３，５００ＲＰＭよりも大きいときに、完全サイクル劣化のインクリメントを引き起こす動作モードの別の例は、低圧状態からのタービン１１８の加速であり得る。
【００２６】
ライフサイクルインクリメント値を伴う量化子の別の例としては、部分サイクルを含むことが可能である。部分サイクルによって識別される劣化は、完全サイクルの動作モードによって引き起こされる劣化のある重みとして識別することが可能である。部分サイクルとして定量化される劣化を引き起こし得る動作モードの例としては、あるパーセンテージ閾値よりも大きい電力の減少を含むことが可能である。別の例としては、ある閾値を通り過ぎる電力の減少の後に、別の閾値を超える電力の増加が続くということを含むことが可能であり、別の閾値は、現在の安定した電力から、任意の制御された電力設定へ、Ｘパーセントよりも大きい。部分サイクルと同等の劣化を引き起こすこれらの様々な動作モードは、サイクル計数オドメーター１２８によって識別することが可能である。
【００２７】
ライフサイクルカウントに関連付けされる別の量化子は、トリップサイクルであることが可能である。トリップサイクルは、様々な動作モードを含むことが可能であり、それは、ガスタービンエンジン１０２の任意のパーツの重度の劣化につがなる可能性があり、または、重大なエンジン故障につながる可能性がある。たとえば、サイクル計数オドメーター１２８は、センサー１２６から、様々な動作モードを示す信号を受信することが可能である。ガスタービンエンジン１０２が危険な動作点で稼働しており、それが、エンジンにとって安全でなく、または、エンジンの近くの人々にとって安全でない状態になっていることを、センサー１２６が示す場合には、制御装置１２４は、ユニットをトリップさせ、または、ユニットを遮断させることが可能である。いくつかの実施形態では、遮断は、供給される燃料の切り離しを通して達成させることが可能である。そのような場合では、カウンターは、トリップサイクルのインクリメントを示すことが可能である。
【００２８】
トリップサイクルに関連付けされる運転条件の別の例としては、ガスタービンエンジン１０２のコンポーネントのうちの１つの故障を含むことが可能であり、そのコンポーネントは、重要なコンポーネントとみなされる可能性があり、ガスタービンエンジン１０２は、そのコンポーネントがなければ機能しなくなる可能性があるようになっている。たとえば、燃焼器１１４が故障した場合に、制御装置１２４は、シャットダウンを開始させるか、または、ガスタービンエンジン１０２へ供給される燃料を即座に切り離すことが可能である。また、これは、トリップサイクルカウンターをインクリメントするように構成させることが可能である。
【００２９】
さらに、トリップサイクルは、それぞれのエンジンモード、故障モード、または損傷に関連付けされる重みを有することが可能である。たとえば、トリップサイクルは、完全ライフサイクルの約２倍としてカウントすることが可能であり、一方、部分サイクルは、劣化の観点から、単に、完全ライフサイクルの約０．８倍としてカウントすることが可能である。
【００３０】
サイクル計数オドメーター１２８は、さらに、センサー１２６からの信号を受信し、様々な動作モードの発生、および、動作モードに関連付けされるパラメーターを識別するように構成させることが可能である。１つの例では、動作モードは、点火するための燃焼器１１４の中の圧縮されたガス燃料混合物１１２の不具合である可能性がある。これは、タービン１１８の中の特定の閾値を下回る回転速度のパラメーターによって、検出することが可能である。この例では、サイクル計数オドメーター１２８は、低い回転速度を表す信号を受信することが可能である。サイクル計数オドメーター１２８は、さらに、閾値検出器ロジックを装備することが可能である。受信される信号値が閾値よりも低下した場合には、サイクル計数オドメーター１２８は、この例では、トリップサイクルを識別することが可能であり、制御装置１２４への信号の中で、トリップサイクルに関連付けされるインクリメント値を送信することが可能である。異なる動作モードに関連付けされるこれらの様々なパラメーターを受信すると、サイクル計数オドメーター１２８は、制御装置１２４またはコンピューティングシステム１３０のいずれかと通信することが可能である。
【００３１】
コンピューティングシステム１３０は、制御装置１２４に通信可能に接続され、制御装置１２４と通信することが可能である。代替的に、コンピューティングシステム１３０は、ガスタービンエンジン１０２と通信可能に連結させることが可能である。コンピューティングシステム１３０は、より詳細に以下に説明されている１つまたは複数のソフトウェアプログラムまたはモジュールを介して、本明細書で説明されているプロセスを実装または促進させるいくつかの機能を行うことが可能である。たとえば、コンピューティングシステム１３０は、制御装置１２４またはサイクル計数オドメーター１２８のいずれかからの様々なサイクルカウント測定値を、受信、監視、または分析することが可能である。
【００３２】
コンピューティングシステム１３０は、１つまたは複数のコンピューティングデバイスを含むことが可能であり、１つまたは複数のコンピューティングデバイスは、メモリー１４２と通信することができるプロセッサー１３２を含むことが可能であるが、それに限定されない。また、メモリー１４２は、プロセッサー１３２の上にロード可能および実行可能であるプログラム命令、ならびにこれらのプログラムの実行の間に生成されるデータとを記憶することが可能である。コンピューティングシステム１３０の構成およびタイプに応じて、メモリー１４２は、揮発性（たとえば、ランダムアクセスメモリー（ＲＡＭ）など）および／または不揮発性（たとえば、読み取り専用メモリー（ＲＯＭ）、フラッシュメモリーなど）とすることが可能である。また、いくつかの実施形態では、コンピューティングシステム１３０は、追加的なリムーバブルストレージ１３８および／または非リムーバブルストレージ１４０を含むことが可能であり、それは、磁気ストレージ、光ディスク、および／またはテープストレージを含むが、それに限定されない。ディスクドライブおよびその関連のコンピューター可読媒体は、コンピューター可読命令、データ構造、プログラムモジュール、および、デバイスのための他のデータの不揮発性のストレージを提供することが可能である。いくつかの実装形態では、メモリー１４２は、スタティックランダムアクセスメモリー（ＳＲＡＭ）、ダイナミックランダムアクセスメモリー（ＤＲＡＭ）、またはＲＯＭなどのような、複数の異なるタイプのメモリーを含むことが可能である。
【００３３】
メモリー１４２、リムーバブルストレージ１３８、および非リムーバブルストレージ１４０は、すべて、コンピューター可読ストレージ媒体の例である。たとえば、コンピューター可読ストレージ媒体は、コンピューター可読命令、データ構造、プログラムモジュール、または他のデータなどのような、情報のストレージのための任意の方法または技術において実装される、揮発性および不揮発性の、リムーバブルおよび非リムーバブルストレージメディアを含むことが可能である。存在し得る追加的なタイプのコンピューターストレージ媒体は、プログラマブルランダムアクセスメモリー（ＰＲＡＭ）、ＳＲＡＭ、ＤＲＡＭ、ＲＡＭ、ＲＯＭ、電気的に消去可能なプログラマブル読み取り専用メモリー（ＥＥＰＲＯＭ）、フラッシュメモリーまたは他のメモリー技術、コンパクトディスク読み取り専用メモリー（ＣＤ−ＲＯＭ）、デジタル多用途ディスク（ＤＶＤ）または他の光学的ストレージ、磁気カセット、磁気テープ、磁気ディスクストレージもしくは他の磁気ストレージデバイス、または、所望の情報を記憶するために使用することができ、デバイスによってアクセスすることが可能な、任意の他の媒体を含むが、それに限定されない。また、上記のいずれかの組み合わせは、コンピューター可読媒体の範囲の中に含まれるべきである。
【００３４】
また、コンピューティングシステム１３０は、デバイスが制御装置１２４と通信することを可能にする１つまたは複数の通信接続１５０を含有することが可能である。接続は、ＵＳＢまたはＣＯＭポートなどのような、様々なデータ通信チャネルまたはポートを介して確立され、デバイス、たとえば、制御デバイスを、ＩＯネットワークの中の様々な他のデバイスに接続するケーブルのための接続部を受け入れることが可能である。ＩＯネットワークの中のデバイスは、デバイスがＩＯネットワークの上の他のデバイスと通信することを可能にするイーサネット（登録商標）ドライバーなどのような通信ドライバーを含むことが可能である。様々な実施形態によれば、通信接続１５０は、ＩＯネットワークの上の有線および／または無線の接続を介して確立され得る。
【００３５】
また、コンピューティングシステム１３０は、キーボード、マウス、ペン、音声入力デバイス、およびタッチ入力デバイスなどのような、１つまたは複数の入力デバイス１３４を含むことが可能である。また、それは、ディスプレイ、プリンター、およびスピーカーなどのような、１つまたは複数の出力デバイス１３６を含むことが可能である。
【００３６】
メモリー１４２の内容を見てみると、メモリー１４２は、オペレーティングシステム（ＯＳ）１４４、および、本明細書で開示されている特徴および態様を実装するための１つまたは複数のアプリケーションプログラムまたはモジュールを含むことが可能であるが、それに限定されない。
【００３７】
さらに、メモリー１４２は、サイクル計数モジュール１４６を含有することが可能である。サイクル計数モジュール１４６は、動作モードに関して検出されるパラメーターに基づいて、ガスタービンエンジン１０２の様々なパーツおよび関連のサイクルインクリメント値を識別するサイクル計数オドメーター１２８から、データを受信することが可能である。サイクル計数モジュール１４６は、メモリー１４２と通信し、以前に記憶された値をデータベースから取り出すことが可能である。このデータは、以前の動作および使用の値、ガスタービンエンジン１０２に関する経時的な値などを含有することが可能である。さらに、サイクル計数モジュール１４６は、パラメーターの様々な運転条件を検出すると、符号化された制御命令をＨＭＩモジュール１４８へ送信することが可能である。サイクル計数モジュール１４６は、それぞれのエンジンパーツに関してサイクル計数オドメーター１２８から受信される現在の値によって、以前の動作値および使用値をインクリメントすることが可能である。メモリー１４２は、ＨＭＩモジュール１４８を伴うようにさらに構成させることが可能である。ＨＭＩモジュール１４８は、必要に応じて、ハードウェア、ソフトウェア、ファームウェア、または、それらの組み合わせの中に、実装することが可能である。ＨＭＩモジュール１４８のソフトウェアまたはファームウェアの実装形態は、任意の適切なプログラミング言語で書かれたコンピューター実行可能な命令またはマシン実行可能な命令を含み、説明されている様々な機能を行うことが可能である。ＨＭＩモジュール１４８のハードウェアの実装形態は、論理ゲート、論理ブロック、または他の論理回路を含み、信号を受信し、エンジンサイクル検出に関連付けされる様々なパラメーターをカウントすることが可能である。
【００３８】
ＨＭＩモジュール１４８は、サイクル計数モジュール１４６から、データおよび制御命令を受信することが可能である。ＨＭＩモジュール１４８は、受信されるデータおよび制御命令に基づいて、アラートを生成するか、または、ガスタービンエンジン１０２の動作パラメーターを示すグラフィッカルユーザーインターフェースを表示することが可能である。アラートは、電子メール、ショートフォームメッセージ、アプリケーション、またはウェブベースのインターフェースとして送信され、診断デバイス１０４の動作を促進させることが可能である。アラートは、さらに、推奨案を識別することが可能である。推奨案として、特定のエンジンパーツの修理、または、エンジンパーツを交換する命令を含むことが可能である。また、ガスタービンエンジン１０２が動作している間に、アラートを送信することも可能である。
【００３９】
また、ＨＭＩモジュール１４８は、ガスタービンエンジン１０２の様々な運転条件およびパラメーターを示す複数の所定のアラートまたはメッセージを記憶するか、または取り出すことが可能である。一実施形態では、ＨＭＩモジュール１４８は、ガスタービンエンジン１０２の診断情報のレポートを発生させることが可能である。これらのレポートは、制御命令、メッセージ、および、サイクル計数モジュール１４６から受信される信号を通して復号化された制御命令に基づくことが可能である。診断情報は、ネットワーク１０６を通して、１つまたは複数の診断デバイス１０４に表示させることが可能である。
【００４０】
診断メッセージは、定期的な間隔で送信することが可能である。代替的に、ＨＭＩモジュール１４８は、診断メッセージを記憶し、通信接続１５０のうちの１つを通してなされた要求に応じてそれを送信することが可能である。第２の例では、ＨＭＩモジュール１４８は、診断メッセージを定期的に送信することが可能である。たとえば、ＨＭＩモジュール１４８は、１２時間ごとに診断メッセージを送信するように構成させることが可能である。
【００４１】
診断メッセージまたはアラートは、特定の運転条件が検出されると送信され得る。たとえば、ガスタービンエンジン１０２が、ジェット機または航空機に関連付けされる場合には、ＨＭＩモジュール１４８は、それが、ガスタービンエンジン１０２が止められたということを検出するときには、診断メッセージ、アラート、またはレポートを地上クルーに送信することが可能である。さらに、アラートは、特定の重要な動作モードが検出されるときに、使用することが可能である。たとえば、臨界サイクルカウントとして知られる閾値を超える値が検出されると、アラートを送信することが可能である。
【００４２】
メッセージの送信モードは、検出された動作条件または動作モードに依存することが可能である。たとえば、臨界サイクルカウントが検出されると、ＨＭＩモジュール１４８は、診断デバイス１０４のうちの１つの遠隔ユーザー端末にアラートを送信することが可能である。しかし、完全サイクルカウントなどのような、別の運転条件の検出が存在する場合には、ＨＭＩモジュール１４８は、特定の所定の時間などに、アラートを送信することが可能である。
【００４３】
診断デバイス１０４は、コンピューター可読命令、コンピューター実装命令、またはコンピューター実行可能な命令を実行するように構成され得る１つまたは複数のプロセッサーを含む任意の数のコンピューティングコンポーネントを含むことが可能である。例示的なデバイスとしては、パーソナルコンピューター、サーバーコンピューター、サーバーファーム、デジタルアシスタント、スマートフォン、パーソナルデジタルアシスタント、デジタルタブレット、インターネットアプライアンス、アプリケーション特有の回路、マイクロ制御装置、ミニコンピューター、トランシーバー、ユーザー端末、車両コンピューティングシステム、ジェット機内（ｉｎ−ｊｅｔ）コンピューティングシステム、航空管制用無線システムなどを含むことが可能である。様々なデバイスに関連付けされる１つまたは複数のプロセッサーによる、適切なコンピューター実装命令の実行は、最適化されたソフトウェアの構成を促進させることができる特殊目的のコンピューターまたは他の特定のマシンを形成することが可能である。診断デバイス１０４は、様々なガスタービンエンジン１０２の動作モードを示す様々なアラートメッセージおよび診断情報を受信するように構成させることが可能である。これらのメッセージは、診断デバイス１０４の上で利用可能なソフトウェアプログラムまたはアプリケーションモジュールを通して取り出すことが可能である。
【００４４】
本開示の例示的な実施形態によるシステム、方法、およびコンピュータープログラム製品の概略ブロック図を参照する。ブロック図のブロックのうちの少なくともいくつか、および、ブロック図の中のブロックの組み合わせは、それぞれコンピュータープログラム命令によって少なくとも部分的に実装され得るということが理解されよう。これらのコンピュータープログラム命令は、汎用コンピューター、特殊目的のコンピューター、特殊目的のハードウェアベースのコンピューター、または、他のプログラマブルデータ処理装置の上にロードされ、マシンを生み出すことが可能であり、コンピューターまたは他のプログラマブルデータ処理装置の上で実行する命令が、ブロック図のブロックのうちの少なくともいくつかの機能性、または、議論されているブロック図の中のブロックの組み合わせの機能性を実装するための手段を生成するようになっている。
【００４５】
また、これらのコンピュータープログラム命令は、コンピューター可読メモリーの中に記憶することが可能であり、コンピューター可読メモリーは、コンピューターまたは他のプログラマブルデータ処理装置に、特定の様式で機能するように指示することが可能であり、コンピューター可読メモリーの中に記憶された命令が、１つまたは複数のブロックの中に特定された機能を実装する命令手段を含む製造品を生み出すようになっている。また、コンピュータープログラム命令は、コンピューターまたは他のプログラマブルデータ処理装置の上にロードされ、一連の動作ステップがコンピューターまたは他のプログラマブル装置の上で行われることを引き起こし、コンピューター実装プロセスを生み出すことが可能であり、コンピューターまたは他のプログラマブル装置の上で実行する命令が、１つまたは複数のブロックの中に特定されている機能を実装するためのステップを提供するようになっている。
【００４６】
本明細書で説明されているシステムの１つまたは複数のコンポーネント、および、本明細書で説明されている方法の１つまたは複数のエレメントは、コンピューターのオペレーティングシステムの上で稼働するアプリケーションプログラムを通して実装させることが可能である。それらは、ハンドヘルドデバイス、マルチプロセッサーシステム、マイクロプロセッサーベースの消費者用電子機器またはプログラマブル消費者用電子機器、ミニコンピューター、メインコンピューターなどを含む、他のコンピューターシステム構成で実践させることも可能である。
【００４７】
本明細書で説明されているシステムおよび方法のコンポーネントであるアプリケーションプログラムは、特定の抽象データタイプを実装し、特定のタスクまたはアクションを行う、ルーチン、プログラム、コンポーネント、データ構造などを含むことが可能である。分散型のコンピューティング環境では、アプリケーションプログラム（の全体または部分）は、ローカルメモリーまたは他のストレージの中に位置付けさせることが可能である。代替例では、アプリケーションプログラム（の全体または部分）は、遠隔メモリーまたはストレージの中に位置付けされており、タスクが通信ネットワークを通して遠隔処理デバイスによって行われる状況を可能にすることができる。
【００４８】
図１に示されている例示的なシステムは、単なる例として提供されている。多数の他の動作環境、システムアーキテクチャー、およびデバイス構成が可能である。したがって、本開示の実施形態は、任意の特定の動作環境、システムアーキテクチャー、またはデバイス構成に限定されるものとして解釈されるべきではない。
【００４９】
図２および図３は、本開示の特定の実施形態による、ガスタービンエンジンの様々なパーツの予想寿命時間を決定するための例示的な方法である。方法２００、３００は、図１に示されているシステムコンポーネントのうちのいくつかまたはすべてを使用して実装することが可能である。特定の実施形態では、図２に示されている方法２００は、図３に示されている方法３００と協調して利用することが可能である。
【００５０】
図２を見てみると、たとえば１０２などのようなガスタービンエンジンの様々なパーツの予想寿命時間を決定するための例示的な方法２００が図示されている。フローダイアグラムの一部は、図１に関して示されて説明されているような、制御装置１２４、プロセッサー１３２、サイクル計数オドメーター１２８、サイクル計数モジュール１４６、および／または、ＨＭＩモジュール１４８を使用して実装することが可能である。ブロック２０２では、サイクルとして規定される様々な動作モードが、それぞれのパーツに関して識別される。一実施形態では、信号は、サイクル計数オドメーター１２８によって、ガスタービンエンジン１０２のパーツのそれぞれから取り出すことが可能である。特定の閾値の上方または下方に入る信号を識別する論理回路が存在し得る。サイクル計数オドメーター１２８は、動作モードに関連付けされる様々なパラメーター、および、サイクルカウントに対応するインクリメントに関する代表的な信号を受信することが可能である。例としては、最大回転速度を表す信号を含むことが可能である。これらのパラメーターの例としては、ガスタービンエンジン１０２の加速度、スラスト、加加速度、およびスロットルを含むことが可能である。次いで、これらのパラメーターは、それらの値に基づいて、サイクルカウントをトリガーすることが可能であり、これらの値は、様々な動作モードを示すことが可能である。
【００５１】
ブロック２０４では、完全サイクルインクリメントを引き起こす動作モードに関連付けされるパラメーターを、エンジンパーツのそれぞれに関して決定することが可能である。完全サイクルカウントのインクリメントと同等の劣化を引き起こすと識別されたパラメーターは、ガスタービンエンジン１０２のパーツのそれぞれに関して識別され、インクリメントされ得る。これらのパラメーターは、ローターブレードに関して約４，０００ＲＰＭよりも大きい回転速度を含むことが可能である。完全サイクルインクリメントをトリガーし得るパラメーターの別の例としては、特定の閾値よりも大きい加速または減速を有する任意の部分を含むことが可能である。別の例としては、特定の閾値よりも下の、圧縮されたガス燃料混合物１１２に関する圧力の変化であることが可能である。さらに、これらのパラメーターは、さらに正確にすることが可能である。したがって、起動局面またはシャットダウン局面の間に、同じパラメーターが検出された場合には、それは、動作または使用の間に同じパラメーターが検出された場合とは異なるインクリメントにつながる可能性がある。たとえば、航空機エンジンのケースでは、離陸局面および着陸局面は、速度および加速度の急激な変化を発生させ、それは、ガスタービンエンジン１０２の様々なパーツに対して応力を引き起こす可能性がある。他の例では、特定のタイプの修理は、完全サイクルと同等の劣化を示すことが可能である。たとえば、ガスタービンエンジン１０２の様々なパーツに対する比較的に小さい修理は、完全サイクルとして識別することが可能である。
【００５２】
ブロック２０６では、エンジンパーツのそれぞれに関して、部分サイクルインクリメントを引き起こす動作モードに関連付けされるパラメーターを決定することが可能である。部分サイクルカウントをインクリメントするように識別されたパラメーターが、ガスタービンエンジン１０２のパーツのそれぞれに関して識別され、それにしたがってインクリメントされ得る。部分サイクルカウントインクリメントをトリガーし得るパラメーターの例としては、所定の閾値よりも大きい電力の任意の減少をも含むことが可能である。別の例は、回転速度または加速度の任意の突然の増加であることが可能であり、その後に、２つの閾値の間に制御して下げることが続く。発電機のケースでは、部分サイクルは、発電機ブレーカーが閉じている任意の定常状態の電力を含むことが可能である。さらに、部分サイクルの等級付けが存在し得る。たとえば、加速度に関する値が、２つの閾値の間にある場合には、重み付きのサイクルインクリメントは、閾値を上回る値に関するものとは異なることが可能である。さらに、重みは、特定の動作モードによって推定される劣化の量に比例する係数であることが可能である。たとえば、回転速度の突然の増加を示すパラメーターは、５の係数だけ重みを付けられ得る。しかし、動作の間のシャットダウンを示すパラメーターは、約１０の係数だけ重みを付けられ得る。この状況において、第２の部分サイクルは、特定のエンジンパーツに起因して、より高いレベルの劣化を有するように推定され得る。したがって、サイクルカウントは、完全サイクルインクリメントを引き起こす動作モードの値の約１０倍の値だけ、および、回転速度サイクルの突然の増加によって識別される動作モードの値の２倍だけ、インクリメントすることが可能である。
【００５３】
ブロック２０８では、ガスタービンエンジン１０２のエンジンパーツのそれぞれに関して、トリップサイクルインクリメントを引き起こす動作モードに関連付けされるパラメーターを決定することが可能である。これらのパラメーターの例としては、閾値よりも大きい回転加加速度を含むことが可能である。別の例は、圧縮されたガス燃料混合物１１２に関する圧力の変化であることが可能であり、圧力は特定の閾値よりも下に入る。また、この動作モードは、故障の検出のさらに正確なパラメーターを有し、使用の間に点火することが可能である。航空機エンジンのケースでは、燃焼器１１４の空中での故障は、トリップサイクルと同等の劣化であると識別することが可能である。トリップサイクルは、さらに、アラート送信をトリガーすることが可能である。アラート送信は、リアルタイムの間に行うことが可能である。このアラートは、典型的なＨＭＩディスプレイとは異なることが可能である。アラートは、診断デバイス１０４へ送信され、または、ローカルで記憶することが可能である。また、アラートは、所定の産業標準の命令として符号化させることが可能である。
【００５４】
ブロック２１０では、エンジンに関して、寿命時間を予想することが可能である。寿命時間は、ガスタービンエンジン１０２のパーツのそれぞれに関して、個別に計算することが可能であり、また、ガスタービンエンジン１０２全体に関して、組み合わせられた重み付きの値を識別することが可能である。これらは、全体の動作時間の観点から規定することが可能である。したがって、パーツのそれぞれに関して、閾値が存在することが可能であり、また、全体として、エンジンの閾値が存在することが可能である。
【００５５】
ブロック２１２では、予想寿命時間のデータを表示することが可能である。データを送信し、ＨＭＩとして出力することが可能である。データは、ガスタービンエンジン１０２のパーツのそれぞれを含むことが可能であり、また、劣化または交換値を表し得る現在のサイクルカウントを含むことが可能である。他の実施形態では、推奨されるアクションのコースを、現在のサイクルカウント値に基づいて識別することが可能である。
【００５６】
方法２００は、本開示の特定の実施形態にしたがって、様々な方式で修正することが可能であるということが留意されるべきである。たとえば、本開示の他の実施形態において、方法２００の１つまたは複数の動作を排除するか、または、違う順序で実行することが可能である。追加的に、本開示の他の実施形態にしたがって、他の動作を方法２００に追加することが可能である。
【００５７】
図３を見てみると、たとえば１０２などのようなガスタービンエンジンの様々なパーツの予想寿命時間を決定するための別の例示的な方法３００が図示されている。図２と同様に、図３のフローダイアグラムの一部は、図１に関して示されて説明されているような、制御装置１２４、プロセッサー１３２、サイクル計数オドメーター１２８、サイクル計数モジュール１４６、および／または、ＨＭＩモジュール１４８を使用して実装することが可能である。方法３００では、システムコンポーネントのうちのいくつかまたはすべてによって実装される例示的な熱サイクル計数ロジックが説明されている。このロジックでは、１または０のいずれかに設定されるスイッチＡ、ならびに、カウンターＰ（部分サイクルカウント用）およびカウンターＦ（完全サイクルカウント用）などのような、様々なカウンターおよびスイッチを使用することが可能であり、カウンターＰおよびカウンターＦは、所定の値の範囲を通してインクリメントされ、たとえば１０２などのようなガスタービンエンジンを修理のために除去するかどうかを決定するために使用され得る。追加的に、例示的な熱サイクル計数ロジックは、たとえばエンジン１０２などのようなガスタービンエンジンの速度をＮ２として参照することが可能であり、関連の船舶または設備は、図３において、ＦＳＯＶと称される可能性がある。
【００５８】
ブロック３０２および３０４は、スタートカウンターおよびスイッチＡの初期化を示している。ブロック３０２では、ガスタービンエンジン１０２のためのスタートロジックの中に実装されるスタートカウンターは、１にインデックスされ（ｉｎｄｅｘｅｄ）得る。ブロック３０２の後にブロック３０４が続き、ブロック３０４において、スイッチＡが１に設定され得る。
【００５９】
決定ブロック３０６へと続いて、ガスタービンエンジン１０２の速度が８０００ＲＰＭよりも大きいかどうかについて、たとえば、センサーデータから、決定を行うことが可能である。ＮＯ決定がなされた場合には、決定ブロック３０８において、ＦＳＯＶとして知られる関連の船舶または設備が、動力源を断たれているかどうかについて、決定がなされる。ＹＥＳ決定がなされた場合には、制御は終了するか、または、そうでなければ打ち切る。そうでなければ、ＮＯ決定がなされた場合には、制御は、決定ブロック３０６に戻ることが可能である。
【００６０】
決定ブロック３０６に戻り、ＹＥＳ決定がなされた場合には、制御は、決定ブロック３１０へ移行することが可能であり、決定ブロック３１０において、スイッチＡが１に設定され得るかどうかについて、決定を行うことが可能である。ＹＥＳ決定がなされた場合には、制御は、ブロック３１４へ進むことが可能であり、ブロック３１４において、カウンターＦは、１だけインデックスまたは増加させることが可能であり、スイッチＡは、０に設定される。これは、カウントされる完全エンジンサイクルの発生を示すことが可能である。本明細書で参照されているように、約０ＲＰＭから約８０００ＲＰＭ以上へのエンジン速度の移行は、１つの完全エンジンサイクルとして規定することが可能である。
【００６１】
しかし、決定ブロック３１０に戻って見てみると、ＮＯ決定がなされた場合には、制御は、ブロック３１２へ進むことが可能であり、ブロック３１２において、部分サイクルカウンターＰは、１だけインデックスまたは増加させることが可能である。本明細書で参照されているように、部分エンジンサイクルは、エンジン速度が、本明細書では約６０００ＲＰＭ未満として規定されるアイドル速度へ降下した後に、約８０００ＲＰＭ以上に戻るときに発生するものとして、規定することが可能である。
【００６２】
いずれの場合においても、次いで、制御は、決定ブロック３１６へ移行することが可能であり、決定ブロック３１６において、エンジン１０２が約６０００ＲＰＭ未満の速度で動作しているかどうかについて、決定を行うことが可能である。ＮＯ決定がなされた場合には、制御は、決定ブロック３１６がＹＥＳ決定を行うまで、ループ状態に進入することが可能であり、ＹＥＳ決定において、制御は、次いで、決定ブロック３１８へ進むことが可能である。
【００６３】
決定ブロック３１８において、決定ブロック３０８と同様に、ＦＳＯＶとして知られる関連の船舶または設備が、動力源を断たれているかどうかについて、決定がなされる。決定ブロック３１８がＹＥＳを決定した場合には、制御は終了するか、または、そうでなければ打ち切る。決定ブロック３１８がＮＯを決定した場合には、制御は、決定ブロック３０６へ戻ることが可能である。
【００６４】
このように、制御が、決定ブロック３０８または決定ブロック３１６のいずれかから終了するとき、カウンターＦおよびＰは、カウンターＦによってカウントされた完全サイクルの数、および、カウンターＰによってカウントされた部分サイクルの数を示すことが可能である。図１の１００などのようなシステムは、次いで、カウンターＦおよびＰの中に記憶されている値を評価し、ガスタービンエンジン１０２の損耗状態に関して、推奨案または他の指示をサービス人員に提示し、したがって、ガスタービンエンジン１０２に対する損傷を防止するか、またはそうでなければ最小化することが可能である。
【００６５】
特定の実施形態では、熱サイクル計数ロジックおよび結果として生じる任意のメンテナンス計画は、センサー１２６、制御装置１２４、および／またはサイクル計数オドメーター１２８などのような、任意の数のシステムコンポーネントによって受信されるデータに依存することが可能である。データは、起動の数、トリップの数、および、特定の温度にある時間の期間を含むことが可能であるが、それに限定されない。いずれにしても、データのいくらかまたはすべてが使用され、たとえば、ガスタービンエンジン１０２に対する修理のための時間間隔を決定することが可能である。
【００６６】
特定の実施形態では、他のロジックが、図１の制御装置１２４によって実装され、データを収集し、表示し、および、図３の方法３００の間に決定されるか、または、そうでなければ測定された部分エンジンサイクルおよび完全エンジンサイクルを記憶するための条項（ｐｒｏｖｉｓｉｏｎｓ）を含むことが可能である。
【００６７】
図４は、本開示の少なくとも一実施形態による、完全サイクルカウントおよび部分サイクルカウントのために監視されているガスタービンエンジンに関する動作データの図式的なダイアグラムである。グラフ４００は、３５の初期値を有する完全サイクルカウンター４０２を示しており、ゼロＲＰＭまたはユニット停止から約８０００ＲＰＭを超える度に、１つだけ増加することが可能である。示されているように、波形４０６の上でカウントされる２つの完全サイクルが存在しており、波形４０６は、エンジン１０２の中でタービンを駆動するガス発生器の速度を示しており、したがって、完全サイクルカウンター４０２は、３７の最終値を有している。部分サイクルカウンター４０４は、５の初期値を有しており、エンジン１０２の速度が約８０００ＲＰＭから６０００ＲＰＭより下に下がり、次いで、約８０００ＲＰＭの上に上昇して戻る度に、１つだけ増加することが可能である。示されているように、これは、３回起きている。したがって、部分サイクルカウンター４０４は、図４において８の最終値を有している。参考のために示されている波形４０８は、タービン速度を参照することが可能であり、したがって、ガス発生器の速度がエンジン１０２の中のタービンの速度を決定するので、波形４０８は、時間的に接近して波形４０６を辿っている。
【００６８】
図５は、本開示の少なくとも一実施形態による、ガスタービンエンジンの様々なパーツの予想寿命時間を決定するための別の例示的な方法を示すフローダイアグラムである。図２〜図３と同様に、図５のフローダイアグラムの一部は、図１に関して示されて説明されているような、制御装置１２４、プロセッサー１３２、サイクル計数オドメーター１２８、サイクル計数モジュール１４６、および／または、ＨＭＩモジュール１４８を使用して実装することが可能である。ブロック５０２において、エンジンに関連付けされる複数のサイクルおよび部分サイクルが、図３に示されているように決定される。ブロック５０４において、複数のサイクルおよび部分サイクルに基づいて、エンジンのライフサイクルについて予想がなされる。ブロック５０６において、トリップサイクルに関連付けされる少なくとも１つのエンジンパーツが識別される。ブロック５０８において、エンジンパーツに関する交換サイクルが、トリップサイクルに基づいて決定される。ブロック５１０において、エンジンパーツの交換サイクルが発生すると、指示が、コンピューティングデバイスへ送信される。ブロック５１２において、エンジンライフサイクルに基づいて、交換サイクルについて決定がなされる。ブロック５１４において、エンジンの交換サイクルが発生すると、指示が、コンピューターデバイスへ送信される。ブロック５１６において、予想されたエンジンのライフサイクルが、ディスプレイに出力される。
【００６９】
実施形態は、構造的な特徴および／または方法論的な行為に特有の言語で説明されてきたが、本開示は、必ずしも、説明されている特有の特徴または行為に限定されるわけではないないということが理解されるべきである。むしろ、特有の特徴および行為は、実施形態を実装する例示目的の形態として開示されている。
【符号の説明】
【００７０】
１００  システム
１０２  ガスタービンエンジン
１０４  診断デバイス
１０６  ネットワーク
１０８  入口部
１１０  圧縮機
１１２  ガス燃料混合物、空気燃料混合物
１１４  燃焼器
１１８  タービン
１２０  排気ノズル
１２４  制御装置
１２６  センサー
１２８  サイクル計数オドメーター
１３０  コンピューティングシステム
１３２  プロセッサー
１３４  入力デバイス
１３６  出力デバイス
１３８  リムーバブルストレージ
１４０  非リムーバブルストレージ
１４２  メモリー
１４４  オペレーティングシステム（ＯＳ）
１４６  サイクル計数モジュール
１４８  ＨＭＩモジュール
１５０  通信接続
２００  方法
２０２  ブロック
２０４  ブロック
２０６  ブロック
２０８  ブロック
２１０  ブロック
２１２  ブロック
３００  方法
３０２  ブロック
３０４  ブロック
３０６  決定ブロック
３０８  決定ブロック
３１０  決定ブロック
３１２  ブロック
３１４  ブロック
３１６  決定ブロック
３１８  決定ブロック
４００  グラフ
４０２  完全サイクルカウンター
４０４  部分サイクルカウンター
４０６  波形
４０８  波形
５０２  ブロック
５０４  ブロック
５０６  ブロック
５０８  ブロック
５１０  ブロック
５１２  ブロック
５１４  ブロック
５１６  ブロック
【図１】
2016505767.tif 000003
【図２】
2016505767.tif 000004
【図３】
2016505767.tif 000005
【図４】
2016505767.tif 000006
【図５】
2016505767.tif 000007
【国際調査報告】
2016505767.tif 000008
2016505767.tif 000009
2016505767.tif 000010